(57)【特許請求の範囲】
【請求項１】
各商品固有の単品コードに対応してその単品コードに連鎖するリンクコードを予め記憶する単品設定ファイル、前記単品コード別に売上データを集計する単品売上集計ファイル及び前記リンクコード別に売上データを集計するリンク売上集計ファイルを管理するファイル管理装置と、商品の販売登録を行なう商品登録手段を有した複数台の商品販売登録装置とを通信回線で接続してなる商品販売登録データ処理システムにおいて、
前記各商品販売登録装置は、前記リンクコードの変更データを記憶する変更データ記憶手段と、前記商品登録手段により商品の販売登録が行なわれるとその商品の単品コードに連鎖するリンクコードを前記単品設定ファイルから読込むコード読込み手段と、このコード読込み手段により読込んだリンクコードが変更対象か否かを判断する変更対象判断手段と、この判断手段により変更対象でないと判断したときには前記単品設定ファイルから読込んだリンクコードで売上データを作成し、変更対象であると判断したときには前記変更データ記憶手段により記憶した変更データで変更したリンクコードで売上データを作成する売上データ作成手段と、この売上データ作成手段により作成した売上データを前記通信回線を介して前記ファイル管理装置に転送する売上データ転送手段とを具備し、
前記ファイル管理装置は、前記各商品販売登録装置から前記通信回線を介して収集した売上データに基づいて前記単品売上集計ファイル及びリンク売上集計ファイルを更新することを特徴とする商品販売登録データ処理システム。
【請求項２】
各商品固有の単品コードに対応してその単品コードに連鎖するリンクコードを予め記憶する単品設定ファイル、前記単品コード別に売上データを集計する単品売上集計ファイル及び前記リンクコード別に売上データを集計するリンク売上集計ファイルを管理するファイル管理装置と、商品の販売登録を行なう商品登録手段を有した複数台の商品販売登録装置とを通信回線で接続してなる商品販売登録データ処理システムにおいて、
前記単品設定ファイルは、各商品固有の単品コードに対応してその単品コードに連鎖するリンクコードとともにそのリンクコードの変更番号を予め記憶し、
前記各商品販売登録装置は、前記リンクコードの変更番号に対応して変更後リンクコードを選択的に設定記憶する変更データ記憶手段と、前記商品登録手段により商品の販売登録が行なわれるとその商品の単品コードに連鎖するリンクコードと変更番号とを前記単品設定ファイルから読込むコード読込み手段と、このコード読込み手段により読込んだ変更番号で前記変更データ記憶手段を検索して変更後リンクコードが設定されているかチェックする変更対象判断手段と、この判断手段により変更後リンクコードが設定されていないと判断したときには前記単品設定ファイルから読込んだリンクコードで売上データを作成し、変更後リンクコードが設定されていると判断したときにはその変更後リンクコードで売上データを作成する売上データ作成手段と、この売上データ作成手段により作成した売上データを前記通信回線を介して前記ファイル管理装置に転送する売上データ転送手段とを具備し、
前記ファイル管理装置は、前記各商品販売登録装置から前記通信回線を介して収集した売上データに基づいて前記単品売上集計ファイル及びリンク売上集計ファイルを更新することを特徴とする商品販売登録データ処理システム。
【請求項３】
各商品固有の単品コードに対応してその単品コードに連鎖するリンクコードを予め記憶する単品設定ファイル、前記単品コード別に売上データを集計する単品売上集計ファイル及び前記リンクコード別に売上データを集計するリンク売上集計ファイルを管理するファイル管理装置と、商品の販売登録を行なう商品登録手段を有した複数台の商品販売登録装置とを通信回線で接続してなる商品販売登録データ処理システムにおいて、
前記各商品販売登録装置は、各商品の単品コードに対応して変更後リンクコードを選択的に設定記憶する変更データ記憶手段と、前記商品登録手段により商品の販売登録が行なわれるとその商品の単品コードに連鎖するリンクコードを前記単品設定ファイルから読込むコード読込み手段と、前記商品登録手段により販売登録された商品の単品コードで前記変更データ記憶手段を検索して変更後リンクコードが設定されているかチェックする変更対象判断手段と、この判断手段により変更後リンクコードが設定されていないと判断したときには前記単品設定ファイルから読込んだリンクコードで売上データを作成し、変更後リンクコードが設定されていると判断したときにはその変更後リンクコードで売上データを作成する売上データ作成手段と、この売上データ作成手段により作成した売上データを前記通信回線を介して前記ファイル管理装置に転送する売上データ転送手段とを具備し、
前記ファイル管理装置は、前記各商品販売登録装置から前記通信回線を介して収集した売上データに基づいて前記単品売上集計ファイル及びリンク売上集計ファイルを更新することを特徴とする商品販売登録データ処理システム。
【発明の詳細な説明】
【０００１】
【発明の属する技術分野】
本発明は、ＰＯＳ（Point Of Sales：販売時点情報管理）システムと称される商品販売登録データ処理システムに関する。
【０００２】
【従来の技術】
例えば食品や日用雑貨のみならず、衣料品，家電製品，文具，玩具等を販売する総合スーパーマーケットでは、一般に、各売場にそれぞれ設置したＰＯＳターミナルと、店の管理事務所などに設置したファイルプロセッサとを通信回線で接続してなるＰＯＳシステムを導入している。
【０００３】
このＰＯＳシステムにおいて、ファイルプロセッサは、予め各商品にそれぞれ付される商品固有の単品コードに対応してその単品コードに連鎖するリンクコード，商品名，単価等の単品データを設定記憶するとともに、単品コード別に売上点数及び売上金額の売上データを集計記憶する単品ファイルや、前記リンクコードに対応してリンク名称などのリンクデータを設定記憶するとともに、リンクコード別に売上点数及び売上金額の売上データを集計記憶するリンクファイル等を管理するファイル管理装置として機能する。
【０００４】
一方、各ＰＯＳターミナルは、商品の販売登録を行なう商品登録手段として、単品コードや販売点数などを入力するスキャナ，キーボード等を備えている。そして、商品登録手段により商品の販売登録が行なわれると、その登録商品の単品コードに対応する単品データを前記単品ファイルから取得し、その単品データ中の単価と販売点数とから販売金額を算出する。そして、この登録商品の単品コード及びそれに連鎖するリンクコードと販売点数及び販売金額とから売上トランザクションデータを作成し、この売上トランザクションデータを通信回線を介してファイルプロセッサに送信するものとなっている。
【０００５】
前記売上トランザクションデータを受信したファイルプロセッサは、そのデータ中の販売点数と販売金額を、前記単品ファイルにおける同データ中の単品コードに対応した売上点数と売上金額、及び前記リンクファイルにおける同データ中のリンクコードに対応した売上点数と売上金額にそれぞれ加算処理する。これにより、店全体での各商品の売上が単品コード別及びリンクコード別にそれぞれ分類されて集計されることになる。
【０００６】
【発明が解決しようとする課題】
しかしながら、従来のＰＯＳシステムおいては、同一単品コードが付された商品は、どの売場のＰＯＳターミナルから販売登録されても、その販売データは同一リンクコードの売上として集計されていた。このため、例えば複数の売場に跨がって同一単価で販売される商品があり、その商品の売上を売場別に集計したい場合には、この商品の単品コードを売場毎に異ならせて設定しなければならず、商品の管理が煩雑になるという問題があった。
【０００７】
そこで本発明は、１商品の売上を、商品管理が煩雑になることなくその商品を販売登録した商品販売登録装置に応じて異なるリンクコードの売上として集計処理でき、実用性を向上できる商品販売登録データ処理システムを提供しようとするものである。
【０００８】
【課題を解決するための手段】
本願請求項１記載の発明は、各商品固有の単品コードに対応してその単品コードに連鎖するリンクコードを予め記憶する単品設定ファイル、単品コード別に売上データを集計する単品売上集計ファイル及びリンクコード別に売上データを集計するリンク売上集計ファイルを管理するファイル管理装置と、商品の販売登録を行なう商品登録手段を有した複数台の商品販売登録装置とを通信回線で接続してなる商品販売登録データ処理システムにおいて、各商品販売登録装置に、リンクコードの変更データを記憶する変更データ記憶手段と、商品登録手段により商品の販売登録が行なわれるとその商品の単品コードに連鎖するリンクコードを単品設定ファイルから読込むコード読込み手段と、このコード読込み手段により読込んだリンクコードが変更対象か否かを判断する変更対象判断手段と、この判断手段により変更対象でないと判断したときには単品設定ファイルから読込んだリンクコードで売上データを作成し、変更対象であると判断したときには変更データ記憶手段により記憶した変更データで変更したリンクコードで売上データを作成する売上データ作成手段と、この売上データ作成手段により作成した売上データを通信回線を介してファイル管理装置に転送する売上データ転送手段とを設ける。また、ファイル管理装置が、各商品販売登録装置から通信回線を介して収集した売上データに基づいて単品売上集計ファイル及びリンク売上集計ファイルを更新するようにしたものである。
このような手段を講じたことにより、商品販売登録装置において商品登録手段により商品の販売登録が行なわれると、その商品の単品コードに連鎖するリンクコードが単品設定ファイルから読込まれる。そして、このリンクコードが変更対象か否かが判断される。ここで、変更対象でない場合には、単品設定ファイルにて設定されている当該商品の単品コードに連鎖するリンクコードで売上データが作成され、通信回線を介してファイル管理装置に転送されて、単品売上集計ファイル及びリンク売上集計ファイルが更新される。これに対し、変更対象である場合には、変更データ記憶手段により記憶されている変更データで当該商品の単品コードに連鎖するリンクコードが変更される。そして、その変更されたリンクコードで売上データが作成され、通信回線を介してファイル管理装置に転送されて、単品売上集計ファイル及びリンク売上集計ファイルが更新される。
したがって、同一単品コードの商品でも、その商品の単品コードに連鎖するリンクコードの変更データが設定されている商品販売登録装置で販売登録された場合と、設定されていない商品販売登録装置で販売登録された場合とでは、別のリンクコードの売上としてデータが集計される。また、変更データが設定されている商品販売登録装置どうしでも、変更データが異なれば別のリンクコードの売上としてデータが集計される。
【０００９】
本願請求項２記載の発明は、単品設定ファイルで、各商品固有の単品コードに対応してその単品コードに連鎖するリンクコードとともにそのリンクコードの変更番号を予め記憶するようにする。そして、各商品販売登録装置が有する変更データ記憶手段を、リンクコードの変更番号に対応して変更後リンクコードを選択的に設定記憶する手段とし、コード読込み手段を、商品登録手段により商品の販売登録が行なわれるとその商品の単品コードに連鎖するリンクコードと変更番号とを単品設定ファイルから読込む手段とし、変更対象判断手段を、コード読込み手段により読込んだ変更番号で変更データ記憶手段を検索して変更後リンクコードが設定されているかチェックする手段とし、売上データ作成手段を、変更対象判断手段により変更後リンクコードが設定されていないと判断したときには単品設定ファイルから読込んだリンクコードで売上データを作成し、変更後リンクコードが設定されていると判断したときにはその変更後リンクコードで売上データを作成する手段とし、売上データ転送手段を、売上データ作成手段により作成した売上データを通信回線を介してファイル管理装置に転送する手段としたものである。
このような手段を講じたことにより、商品販売登録装置において商品登録手段により商品の販売登録が行なわれると、その商品の単品コードに連鎖するリンクコードと変更番号とが単品設定ファイルから読込まれる。そして、この変更番号に対応して変更後リンクコードが設定されているか否かが判断される。ここで、変更後リンクコードが設定されていない場合には、単品設定ファイルにて設定されている当該商品の単品コードに連鎖するリンクコードで売上データが作成され、通信回線を介してファイル管理装置に転送されて、単品売上集計ファイル及びリンク売上集計ファイルが更新される。これに対し、変更後リンクコードが設定されている場合には、その変更後リンクコードで売上データが作成され、通信回線を介してファイル管理装置に転送されて、単品売上集計ファイル及びリンク売上集計ファイルが更新される。
したがって、同一単品コードの商品でも、その商品の単品コードに連鎖するリンクコードの変更番号に対して変更後リンクコードが設定されている商品販売登録装置で販売登録された場合と、設定されていない商品販売登録装置で販売登録された場合とでは、別のリンクコードの売上としてデータが集計される。また、変更後リンクコードが設定されている商品販売登録装置どうしでも、変更後リンクコードが異なれば別のリンクコードの売上としてデータが集計される。
【００１０】
本願請求項３記載の発明は、各商品販売登録装置が有する変更データ記憶手段を、各商品の単品コードに対応して変更後リンクコードを選択的に設定記憶する手段とし、コード読込み手段を、商品登録手段により商品の販売登録が行なわれるとその商品の単品コードに連鎖するリンクコードを単品設定ファイルから読込む手段とし、変更対象判断手段を、商品登録手段により販売登録された商品の単品コードで変更データ記憶手段を検索して変更後リンクコードが設定されているかチェックする手段とし、売上データ作成手段を、変更対象判断手段により変更後リンクコードが設定されていないと判断したときには単品設定ファイルから読込んだリンクコードで売上データを作成し、変更後リンクコードが設定されていると判断したときにはその変更後リンクコードで売上データを作成する手段とし、売上データ転送手段を、売上データ作成手段により作成した売上データを通信回線を介してファイル管理装置に転送する手段としたものである。
このような手段を講じたことにより、商品販売登録装置において商品登録手段により商品の販売登録が行なわれると、その商品の単品コードに連鎖するリンクコードが単品設定ファイルから読込まれる。また、その商品の単品コードに対応して変更後リンクコードが設定されているか否かが判断される。ここで、変更後リンクコードが設定されていない場合には、単品設定ファイルから読込んだリンクコードで売上データが作成され、通信回線を介してファイル管理装置に転送されて、単品売上集計ファイル及びリンク売上集計ファイルが更新される。これに対し、変更後リンクコードが設定されている場合には、その変更後リンクコードで売上データが作成され、通信回線を介してファイル管理装置に転送されて、単品売上集計ファイル及びリンク売上集計ファイルが更新される。
したがって、同一単品コードの商品でも、その商品の単品コードに対して変更後リンクコードが設定されている商品販売登録装置で販売登録された場合と、設定されていない商品販売登録装置で販売登録された場合とでは、別のリンクコードの売上としてデータが集計される。また、変更後リンクコードが設定されている商品販売登録装置どうしでも、変更後リンクコードが異なれば別のリンクコードの売上としてデータが集計される。
【００１１】
【発明の実施の形態】
以下、本発明の実施の形態を図面を用いて説明する。
はじめに、本願請求項１及び２記載の発明に対応した第１の実施の形態について図１乃至図５及び図７を用いて説明する。
【００１２】
図１は第１の実施の形態の商品販売登録データ処理装置，いわゆるＰＯＳシステムの概略を示しており、このＰＯＳシステムは、ファイル管理装置として機能する１台のファイルプロセッサ１と、商品販売登録装置として機能するＮ（Ｎ≧２）台のＰＯＳターミナル２Ａ，２Ｂ，…，２Ｎとを、閉ループ通信回線３で双方向通信可能に接続している。
【００１３】
前記ファイルプロセッサ１は、ハードディスク等の大容量記憶媒体を内蔵したコンピュータ機器であって、その大容量記憶媒体で、図３に示すように、各商品固有の単品コードに対応してその単品コードに連鎖するリンクコード，単品名称，単価等の単品データを予め記憶する単品設定ファイル及び単品コード別に点数及び金額の売上データを集計する単品売上集計ファイルとして機能する単品ファイル４と、図４に示すように、各リンクコードに対応してリンク名称などのリンクデータを予め記憶するリンク設定ファイル及びリンクコード別に点数，金額の売上データを集計するリンク売上集計ファイルとして機能するリンクファイル５とを書換え可能に記憶保持することによって管理している。またファイルプロセッサ１は、前記単品ファイル４及びリンクファイル５のメンテナンスやこれらのファイル４，５で集計されたデータを収集し加工して売上分析などを行なうストアコンピュータ６と、オンラインで接続している。
【００１４】
前記ＰＯＳターミナル２Ａ〜２Ｎは同一構成で、図２に示すように、制御部本体としてＣＰＵ（Central Processing Unit）２１を搭載している。また、前記ＣＰＵ２１が実行するプログラム等を予め格納したＲＯＭ（Read Only Memory）２２、ＣＰＵ２１によって各種データの読出しや書込みが行なわれるＲＡＭ（Random Access Memory）２３、前記通信回線３を通じて行なうデータ伝送を制御する通信インタフェース２４、センサやスイッチ等からの信号を入力したりドロワ等に対する駆動信号を出力するＩ／Ｏポート２５、スキャナ２６で読取られたバーコードに対応したデータを取込むスキャナコントローラ２６Ｃ、キーボード２７から入力キーに対応したデータを取込むキーボードコントローラ２７Ｄ、表示器２８の駆動を制御して販売登録された商品の品名，値段等を表示させる表示器コントローラ２８Ｃ、プリンタ２９の駆動を制御してレシート印字などを行なわせるプリンタコントローラ２９Ｃ等を搭載している。
そして、前記ＣＰＵ２１と、ＲＯＭ２２，ＲＡＭ２３，通信インタフェース２４，Ｉ／Ｏポート２５及び各入出力機器のコントローラ２６Ｃ，２７Ｃ，２８Ｃ，２９Ｃとを、アドレスバス，データバスなどのバスラインＢＬで接続して、制御回路を構成している。
【００１５】
前記スキャナ２６は、各商品に付されるバーコード（単品コード）を光学的に読取るものである。また、前記キーボード２７は、商品の単品コード，販売点数等を置数する置数キーや１商取引の登録終了を宣言する締めキー等を配設したＰＯＳターミナル専用のキーボードである。しかして、このスキャナ２６及びキーボード２７によって商品登録手段を構成している。
【００１６】
かかる構成の各ＰＯＳターミナル２Ａ〜２Ｎは、いずれも各商品の単品コードにそれぞれ連鎖する各リンクコードのうち、販売登録されたＰＯＳターミナルに応じて変更される場合があるリンクコードの変更データを予め記憶する変更データ記憶手段として、前記ＲＡＭ２３にリンク切換テーブル７を設けている。
図５は第１の実施の形態における前記リンク切換テーブル７の構造を示しており、変更番号に対応してリンクコードを選択的に設定記憶するようになっている。ここで変更番号は、図３に示すように、単品ファイル４上で各商品固有の単品コードに対応して選択的に設定される番号であり、販売登録されたＰＯＳターミナルに応じてリンクコードを当該単品コードに連鎖するものから別のものに変更することがある商品に対してのみ設定する。また、前記リンク切換テーブル７のリンクコードは、対応する変更番号が設定された商品を当該ＰＯＳターミナルで販売登録したときの変更後のリンクコードである。
【００１７】
しかして、この第１の実施の形態において、各ＰＯＳターミナル２Ａ〜２ＮのＣＰＵ２１は、１買物客が買上げる商品の販売登録から代金決済までの１商取引について、特に図７の流れ図に示す商品販売登録処理を実行するようにプログラムを構成している。
すなわちＣＰＵ２１は、ＳＴ（ステップ）１としてスキャナ２６からのバーコード入力またはキーボード２７からのキー入力により単品コードが入力されて商品の販売登録が行なわれたと判断すると、ＳＴ２としてその単品コードで単品データの問合せ伝文を作成し、通信回線３を介してファイルプロセッサ１に送信する。これにより、ファイルプロセッサ１から当該単品コードに対応して単品ファイル４に設定されているリンクコード，単品名称，単価，変更番号等の単品データの応答があると、このデータ中の単価と販売点数とから販売金額を算出する。そして、その販売点数と販売金額をＲＡＭ２３の売上登録メモリに登録処理する。また、単品名称，単価，販売点数，販売金額などを表示器２８に表示させる。
【００１８】
次に、ＣＰＵ２１は、ＳＴ４としてファイルプロセッサ１から応答された単品データ中の変更番号を調べる。ここで、変更番号が“０”の場合には、当該登録商品は販売登録されたＰＯＳターミナルにかかわらず単品コードに連鎖するリンクコードで共通に売上を集計する商品なので、ＳＴ５として単品データ中の単品コード及びリンクコードと当該登録商品の販売点数及び販売金額とから売上トランザクションデータ（売上データ）を作成する。
【００１９】
これに対し、変更番号が“０”以外の場合には、ＳＴ６としてその変更番号をキーとしてリンク切換テーブル７を検索する。そして、ＳＴ７としてその変更番号に対応して変更後リンクコードが設定されているか否かを判断する。ここで、リンク切換テーブル７に該当する変更番号が未設定の場合及び変更番号は設定されているがそれに対応する変更後リンクコードが未設定（＝０）の場合には、当該登録商品は販売登録されたＰＯＳターミナルに応じて単品コードに連鎖するリンクコード以外のリンクコードで売上を集計する商品であるものの、当該ＰＯＳターミナルで販売登録された場合は単品コードに連鎖するリンクコードで売上を集計するので、前記ＳＴ５の処理に進み、単品データ中の単品コード及びリンクコードと当該登録商品の販売点数及び販売金額とから売上トランザクションデータを作成する。
【００２０】
一方、ＳＴ７にてリンク切換テーブル７に当該変更番号に対応して変更後リンクコードが設定されている場合には、当該登録商品は販売登録されたＰＯＳターミナルに応じて単品コードに連鎖するリンクコード以外のリンクコードで売上を集計する商品であり、当該ＰＯＳターミナルで販売登録された場合は上記変更後リンクコードで売上を集計するので、ＳＴ８として単品データ中の単品コードと上記変更後リンクコードと当該登録商品の販売点数及び販売金額とから売上トランザクションデータを作成する。
【００２１】
こうして、ＳＴ５またはＳＴ８の処理により売上トランザクションデータを作成したならば、ＣＰＵ２１は、ＳＴ９としてその売上トランザクションデータをＲＡＭ２３のトランザクションバッファに一時格納する。そして次に、ＳＴ１０として１商取引の商品登録終了を宣言する締めキーが操作されたか否かを判断する。ここで、締めキーが操作されていない場合には、１商取引として販売管理する商品の登録が継続されるのでＳＴ１に戻り、前記ＳＴ１乃至ＳＴ９の処理を繰り返す。
【００２２】
ＳＴ１０にて締めキーが操作されたことを確認した場合には、ＣＰＵ２１は、ＳＴ１１としてこの１商取引で販売登録された商品の合計を表示器２８に表示させたり、プリンタ２９を駆動してレシートを印字発行させる等の登録締め処理を実行する。その後、ＳＴ１２としてＲＡＭ２３のトランザクションバッファに一時格納していた売上トランザクションデータを通信回線３を介してファイルプロセッサ１に転送したならば、今回の１商取引に対する商品販売登録処理を終了する。
【００２３】
ここに、第１の実施の形態において、ＣＰＵ２１が実行する商品販売登録処理のなかのＳＴ２の処理はコード読込み手段を構成し、ＳＴ６，７の処理は変更対象判断手段を構成し、ＳＴ５，ＳＴ８の処理は売上データ作成手段を構成し、ＳＴ１２の処理は売上データ転送手段を構成する。
【００２４】
一方、上記売上トランザクションデータを受信したファイルプロセッサ１においては、そのトランザクションデータ中の単品コードで単品ファイル４を検索し、該当する単品コードを検出すると、その単品コードに対応した売上点数データ及び売上金額データに、同トランザクションデータ中の販売点数と販売金額をそれぞれ加算処理する。また、同トランザクションデータ中のリンクコードでリンクファイル５を検索し、該当するリンクコードを検出すると、そのリンクコードに対応した売上点数データ及び売上金額データに、同トランザクションデータ中の販売点数と販売金額をそれぞれ加算処理するものとなっている。
【００２５】
例えば今、家電売場以外に食品・雑貨売場と玩具売場とで販売されている単一電池，単二電池及び単三電池について、特に食品・雑貨売場と玩具売場とでのそれぞれの売上を管理したい場合、この第１の実施の形態においては、図３に示すように、単品ファイル４上の商品「単一電池」，「単二電池」，「単三電池」の各単品データに、変更番号として例えば「１０」を設定する。また図４に示すように、リンクファイル５に、各電池の単品コードに連鎖するリンクコード「１０００」のデータとは別に食品売場電池としてのリンクコード「１００１」のデータと玩具売場電池としてのリンクコード「１００２」のデータとを追加する。さらに、食品・雑貨売場に設置されているＰＯＳターミナル（仮に２Ａとする）のリンク切換テーブル７には、図５（ａ）に示すように変更番号「１０」に対応して変更後リンクコード「１００１」を設定し、玩具売場に設置されているＰＯＳターミナル（仮に２Ｂとする）のリンク切換テーブル７には、図５（ｃ）に示すように変更番号「１０」に対応して変更後リンクコード「１００２」を設定する。なお、家電売場に設置されているＰＯＳターミナル（仮に２Ｎとする）のリンク切換テーブル７には、図５（ｂ）に示すように変更番号「１０」に対して変更後リンクコードを設定しない。
【００２６】
こうすることにより、家電売場のＰＯＳターミナル２Ｎによって販売登録された電池の売上は、リンクファイル５上では当該電池の単品コードに連鎖するリンクコード「１０００」の売上として集計されるが、食品・雑貨売場のＰＯＳターミナル２Ａによって販売登録された電池の売上は、上記リンクコード「１０００」とは異なる変更後リンクコード「１００１」の売上として集計される。同様に、玩具売場のＰＯＳターミナル２Ｂによって販売登録された各電池の売上は、変更後リンクコード「１００２」の売上として集計される。
【００２７】
このように、第１の実施の形態によれば、各ＰＯＳターミナル２Ａ〜２Ｎにおいて従来通り商品固有の単品コードを入力して商品の販売登録を行なうだけで、この商品の売上を販売登録したＰＯＳターミナルに応じて異なるリンクコードの売上として正しく集計処理することができる。したがって、例えば売場毎に同一商品の単品コードを変更しなくてもその商品の売上を売場別に集計する運用に対応できるので、商品管理が煩雑になることなく実用性の向上をはかることができる。
【００２８】
次に、本願請求項１及び３記載の発明に対応した第２の実施の形態について図６及び図８を用いて説明する。
なお、この第２の実施の形態も、第１の実施の形態と同様のＰＯＳシステムに適用するものとし、その概略は第１の実施の形態と同様なので、図１，３，４を用いて説明を省略する。また、ＰＯＳターミナル２Ａ〜２Ｎのハードウェア構成も第１の実施の形態と同一なので、図２を用いて説明を省略する。
【００２９】
図６は第２の実施の形態における前記リンク切換テーブル７の構造を示しており、単品コードに対応してリンクコードを選択的に設定記憶するようになっている。すなわち、この第２の実施の形態では、当該ＰＯＳターミナルで販売登録した場合に、リンクコードを、販売商品固有の単品コードに連鎖するものから別のものに変更する商品の単品コードと変更後リンクコードとを設定する。
【００３０】
しかして、この第２の実施の形態において、各ＰＯＳターミナル２Ａ〜２ＮのＣＰＵ２１は、１買物客が買上げる商品の販売登録から代金決済までの１商取引について、特に図８の流れ図に示す商品販売登録処理を実行するようにプログラムを構成している。
すなわちＣＰＵ２１は、ＳＴ１として商品の販売登録が行なわれたと判断すると、ＳＴ２としてその単品コードで単品データの問合せ伝文を作成し、通信回線３を介してファイルプロセッサ１に送信する。これにより、ファイルプロセッサ１から当該単品コードに対応して単品ファイル４に設定されているリンクコード，単品名称，単価等の単品データの応答があると、このデータ中の単価と販売点数とから販売金額を算出する。そして、その販売点数と販売金額をＲＡＭ２３の売上登録メモリに登録処理する。また、単品名称，単価，販売点数，販売金額などを表示器２８に表示させる。
【００３１】
次に、ＣＰＵ２１は、ＳＴ４として入力された単品コードをキーとしてリンク切換テーブル７を検索する。ここで、ＳＴ５としてリンク切換テーブル７に該当する単品コードが未設定の場合には、当該登録商品は本ＰＯＳターミナルで販売登録された場合は単品コードに連鎖するリンクコードで売上を集計するので、ＳＴ６として単品データ中の単品コード及びリンクコードと当該登録商品の販売点数及び販売金額とから売上トランザクションデータを作成する。
【００３２】
これに対し、ＳＴ５にてリンク切換テーブル７に当該単品コードが設定されていた場合には、当該登録商品は本ＰＯＳターミナルで販売登録された場合は単品コードに連鎖するリンクコードとは別のリンクコードで売上を集計するので、ＳＴ７としてリンク切換テーブル７から当該単品コードに対応して設定されている変更後リンクコードを読込む。そして、単品データ中の単品コードと上記変更後リンクコードと当該登録商品の販売点数及び販売金額とから売上トランザクションデータを作成する。
【００３３】
こうして、ＳＴ６またはＳＴ７の処理により売上トランザクションデータを作成したならば、第１の実施の形態と同様にＣＰＵ２１は、ＳＴ８としてその売上トランザクションデータをＲＡＭ２３のトランザクションバッファに一時格納する。そして次に、ＳＴ９として締めキーが操作されたか否かを判断する。ここで、締めキーが操作されていない場合にはＳＴ１に戻り、前記ＳＴ１乃至ＳＴ８の処理を繰り返す。
【００３４】
ＳＴ９にて締めキーが操作されたことを確認した場合には、第１の実施の形態と同様にＣＰＵ２１は、ＳＴ１０として登録締め処理を実行した後、ＳＴ１１として売上トランザクションデータをファイルプロセッサ１に転送して、今回の１商取引に対する商品販売登録処理を終了する。
【００３５】
ここに、第２の実施の形態において、ＣＰＵ２１が実行する商品販売登録処理のなかのＳＴ２の処理はコード読込み手段を構成し、ＳＴ４，５の処理は変更対象判断手段を構成し、ＳＴ６，ＳＴ７の処理は売上データ作成手段を構成し、ＳＴ１１の処理は売上データ転送手段を構成する。
【００３６】
なお、上記売上トランザクションデータを受信したファイルプロセッサ１においては、第１の実施の形態と同様にして単品ファイル４及びリンクファイル５の売上データを更新するものとなっている。
【００３７】
このような構成の第２の実施の形態において、前述した電池の売上管理を実現しようとすると、食品・雑貨売場に設置されているＰＯＳターミナル２Ａのリンク切換テーブル７には、図６（ａ）に示すように各電池の単品コードに対応して変更後リンクコード「１００１」を設定し、玩具売場に設置されているＰＯＳターミナル２Ｂのリンク切換テーブル７には、図６（ｂ）に示すように各電池の単品コードに対応して変更後リンクコード「１００２」を設定する。家電売場に設置されているＰＯＳターミナル２Ｎのリンク切換テーブル７には、特に各電池の単品コードと変更後リンクコードとを設定しない。
【００３８】
こうすることにより、家電売場のＰＯＳターミナル２Ｎによって販売登録された電池の売上は、リンクファイル５上では当該電池の単品コードに連鎖するリンクコード「１０００」の売上として集計されるが、食品・雑貨売場のＰＯＳターミナル２Ａによって販売登録された電池の売上は、上記リンクコード「１０００」とは異なる変更後リンクコード「１００１」の売上として集計され、玩具売場のＰＯＳターミナル２Ｂによって販売登録された各電池の売上は、変更後リンクコード「１００２」の売上として集計される。
【００３９】
したがって、この第２の実施の形態においても、第１の実施の形態と同様な効果を奏し得る。
【００４０】
また、この第２の実施の形態においては、単品ファイル４の設定項目から変更番号を省略できるので、従来の単品ファイル４をそのまま使用できる利点もある。
【００４１】
【発明の効果】
以上詳述したように、本願請求項１乃至３記載の発明によれば、１商品の売上を、商品管理が煩雑になることなくその商品を販売登録した商品販売登録装置に応じて異なるリンクコードの売上として集計処理でき、実用性を向上できる商品販売登録データ処理システムを提供できる。
また、本願請求項２記載の発明によれば、単品設定ファイルに変更番号を設定するとともに、各商品販売登録装置の変更データ記憶手段に変更番号に対応して変更後リンクコードを選択的に設定すればよいので、１商品の売上を販売登録した商品販売登録装置に応じて異なるリンクコードの売上として集計処理できるようにするための設定作業が容易である利点がある。
【００４２】
また、本願請求項３記載の発明によれば、各商品販売登録装置の変更データ記憶手段に必要な単品コードと変更後リンクコードとを設定すればよいので、上記設定作業がさらに容易である利点がある。
【図面の簡単な説明】
【図１】  本発明の実施の形態であるＰＯＳシステムの概要を示すブロック図。
【図２】  同実施の形態におけるＰＯＳターミナルの要部構成を示すブロック図。
【図３】  同実施の形態における単品ファイルの構造図。
【図４】  同実施の形態におけるリンクファイルの構造図。
【図５】  第１の実施の形態におけるリンク切換テーブルの構造図。
【図６】  第２の実施の形態におけるリンク切換テーブルの構造図。
【図７】  第１の実施の形態におけるＰＯＳターミナルのＣＰＵが実行する販売登録処理の要部を示す流れ図。
【図８】  第２の実施の形態におけるＰＯＳターミナルのＣＰＵが実行する販売登録処理の要部を示す流れ図。
【符号の説明】
１…ファイルプロセッサ（ファイル管理装置）
２Ａ〜２Ｎ…ＰＯＳターミナル（商品販売登録装置）
３…通信回線
４…単品ファイル
５…リンクファイル
７…リンク切換テーブル
【図１】
0003725733.tif 000002
【図２】
0003725733.tif 000003
【図３】
0003725733.tif 000004
【図４】
0003725733.tif 000005
【図５】
0003725733.tif 000006
【図６】
0003725733.tif 000007
【図７】
0003725733.tif 000008
【図８】
0003725733.tif 000009